(57)【要約】【課題】この発明は、従来例の問題点を解決するものであり、負荷（機械類）を止めずに、いつでも、また専門家でなくても安全かつ簡単に点検することができる誘導雷サージ防止機器付き分電盤を提供することを目的とする。【解決手段】負荷に接続される分電盤の接続端子と大地との間に誘導雷サージ防止機器を接続するとともに、前記接続端子と誘導雷サージ防止機器との間にブレーカを接続したことを特徴とする誘導雷サージ防止機器付き分電盤。【選択図】  図１
2009183024.tif 000002
【特許請求の範囲】
【請求項１】
負荷に接続される分電盤の接続端子と大地との間に誘導雷サージ防止機器を接続するとともに、前記接続端子と誘導雷サージ防止機器との間にブレーカを接続したことを特徴とする誘導雷サージ防止機器付き分電盤。
【請求項２】
前記誘導雷サージ防止機器は、マイクロギャップ型放電素子を内蔵したものであることを特徴とする請求項１記載の誘導雷サージ防止機器付き分電盤。
【請求項３】
前記負荷は、電源線や電話線等の低周波通信線、アンテナ線等の高周波通信線であることを特徴とする請求項１または２記載の誘導雷サージ防止機器付き分電盤。
【発明の詳細な説明】
【技術分野】
【０００１】
この発明は、電源線と、電話線等の低周波通信線と、アンテナ線等の高周波通信線とが接続される各種機器の誘導雷による障害を回避するための誘導雷サージ防止機器付き分電盤に関する。
さらに詳しくは、住宅用等の低圧需要家に用いられる家庭用分電盤に用いられ、複数経路からの雷サージの侵入抑制を行うとともに、各種機器への通電を止めることなく、容易に点検が可能な誘導雷サージ防止機器付き分電盤に関する。
【背景技術】
【０００２】
雷の直撃によるサージ電流や、雷由来の誘導サージ電流等によって電子機器が損傷することを防止するため、誘導雷サージ防止機器を内蔵する分電盤がある。このような分電盤は電話線等の低周波通信線も同時に収容し、誘導雷サージ防止機器による雷サージの除去を行うことができる。これによって、ファクシミリやパーソナルコンピュータ等、電灯線及び電話線等と複数の線が接続されている機器の場合であっても、電源線又は低周波通信線の一方に雷サージが生じても分電盤内の誘導雷サージ防止機器によって機器を保護することができる。
【０００３】
しかしながら、図２に示すような従来の誘導雷サージ防止機器を内蔵する分電盤においては、負荷（機器）１０１側の接続端子に誘導雷サージ防止機器１０４の負荷側端子を接続し、負荷（機器）１０１側の接地端子１０２と大地１０３との間に誘導雷サージ防止機器１０４の接地端子を接続したものであるため、雷の発生後に、誘導雷サージ防止機器１０４を点検しようとすると、その都度、負荷（機器）１０１を接続しているブレーカを遮断して前記点検を行なう必要があった。
【特許文献１】特開平１０−１４０９２号公報
【特許文献２】特開２００４−２８１６１７号公報
【特許文献３】特開平１１−１６４４２７号公報
【特許文献４】特開２００２−６４９１３号公報
【特許文献５】特開２００２−２８１６１７号公報
【発明の開示】
【発明が解決しようとする課題】
【０００４】
しかしながら、前述のように誘導雷サージ防止機器の点検の都度、負荷を接続しているブレーカを遮断することは、電源線や電話線等の低周波通信線、アンテナ線等の高周波通信線等に接続されている各種の機器の利用を止める必要があった。
すなわち、自家用発電所を持っている事業所では停電になっても良い時間帯か、電気保安協会等の年次点検の時に限られてしまう。
【０００５】
とはいえ、雷は１年中いつ、どの時間帯に発生するかは予想がつかない。また温暖化の影響か、近年冬の雷も多く発生するようになってきている。そしてこのような雷や誘導雷の被害で保険金の支払いが増大し、保険会社もその対策に困っているのが実情である。
さらに、現在は半導体チップ等を制御機器に内蔵しており、小さな誘導雷による電流でも破損してしまうおそれがあり、また接地側にアースを取れば安全と思われていたものが、アース側から誘導雷の電流が流れ込んでしまうという問題も起きている。
【０００６】
この発明は、これらの問題点を解決するものであり、負荷（機械類）を止めずに、いつでも、また専門家でなくても安全かつ簡単に点検することができる誘導雷サージ防止機器付き分電盤を提供することを目的とする。
【課題を解決するための手段】
【０００７】
すなわちこの発明の誘導雷サージ防止機器付き分電盤は、負荷（機器）に接続される分電盤の接続端子と大地との間に誘導雷サージ防止機器を接続するとともに、前記接続端子と誘導雷サージ防止機器との間にブレーカを接続したことを特徴とするものである。
【０００８】
また、この発明の誘導雷サージ防止機器付き分電盤は、前記誘導雷サージ防止機器が、マイクロギャップ型放電素子を内蔵したものであることをも特徴とするものである。
【０００９】
さらに、この発明の誘導雷サージ防止機器付き分電盤は、前記負荷（機器）が、電源線や電話線等の低周波通信線、アンテナ線等の高周波通信線であることをも特徴とするものである。
【００１０】
この発明の誘導雷サージ防止機器付き分電盤に使用する前記「誘導雷サージ防止機器」の種類は任意に選択することができ、ＺｎＯ素子を含むサージアブソーバ及びバリスタ、並びにコンデンサの少なくとも一つを備えることができる。特にこのうち、マイクロギャップ型放電素子を内蔵したものであることが望ましい。
【００１１】
この発明の誘導雷サージ防止機器付き分電盤を適用する前記「負荷」は、負荷に電力を供給するための配線であればよく、その電圧や、電流容量等について特に問わない。また、単相又は三相、線数、中性線の有無についても特に問わない。更に、任意の信号を重畳し、通信線として用いてもかまわない。前記「低周波通信線」は低周波の信号を取り扱う通信線であれば任意に選択することができ、電話線、インターホン、ファクシミリ専用線や制御信号線等の線を例示することができる。また、前記「高周波通信線」は、ＺｎＯ素子等のサージアブソーバでは信号の劣化が起きる高周波信号を取り扱う通信線であればよく、任意に選択することができる。この例として、ラジオ放送、テレビ放送、ケーブルテレビ放送等の他、ネットワーク専用線、無線通信等に用いられるアンテナに接続される配線等を挙げることができる。更に、ケーブルテレビ用同軸ケーブル公衆波通信用電話線も高周波通信線として選択できる。
【発明を実施するための最良の形態】
【００１２】
以下、図面を用いてこの発明の誘導雷サージ防止機器付き分電盤の実施の形態を詳細に説明する。
図１はこの発明の誘導雷サージ防止機器付き分電盤の１実施例を示す回路図である。
この実施例における誘導雷サージ防止機器付き分電盤は、図１に示すように、１００または２００Ｖ、単相３線の電源線、電話機に接続される２線の低周波通信線である電話線、および高周波通信線であるテレビ受像機に接続される同軸のアンテナ線等を収容し、各負荷１１〜１８へ分配することができる。電源線２１は、引き込み側からブレーカ、漏電ブレーカ等を経たあと分配され、接地端子２２を介して各負荷１１〜１８に接続される。また、接地端子２２に接続される接地線２３は、ブレーカ２４、誘導雷サージ防止機器２５を経由して大地Ｅに設置される。
図において、２６は誘導雷サージ防止機器２５の入力側端子であり、また２７は接地端子である。
【００１３】
この誘導雷サージ防止機器２５は、マイクロギャップ型放電素子（図示せず）を内蔵した避雷器、例えばライトル（商品名  三菱電機株式会社製）等を好適に使用することができる。もちろん、誘導雷サージ防止機能を持つものであれば、それ以外のものを利用しても何ら問題ない。
【００１４】
この実施例の誘導雷サージ防止機器付き分電盤は、電源線２１の接地端子２２に接続される接地線２３に、ブレーカ２４、誘導雷サージ防止機器２５を順次接続して大地Ｅに誘導雷を逃がす構成としたため、事業所等において屋外から引き込まれる全ての機器の誘導雷サージの防止を行うことができる。
したがって、負荷（機械類）１１〜１８を止めずに、いつでも、また専門家でなくても安全かつ簡単に点検することができる誘導雷サージ防止機器付き分電盤を提供することが可能である。
【産業上の利用可能性】
【００１５】
この発明の誘導雷サージ防止機器付き分電盤によれば、事業所等において屋外から引き込まれる全ての電線の誘導雷サージの防止を行うことができる。
【００１６】
なお、この発明においては、前記実施例に示すものに限られず、目的、用途に応じてこの発明の範囲内で種々変更した態様とすることができる。すなわち、電源線を三相４線としたり、単相２線とすることができる。また、電話線をケーブルテレビの通信線としたり、アンテナ線を無線通信のためのアンテナ線として用いることができる。さらに、各線を複数系統用意することもできる。
【図面の簡単な説明】
【００１７】
【図１】この発明の誘導雷サージ防止機器付き分電盤を説明するための模式回路図である。
【図２】従来の誘導雷サージ防止機器付き分電盤の模式回路図である。
【符号の説明】
【００１８】
１１〜１８  負荷
２１  電源線
２２  接地端子
２３  接地線
２４  ブレーカ
２５  誘導雷サージ防止機器
２６  入力側端子
２７  接地端子
Ｅ  大地
【図１】
2009183024.tif 000003
【図２】
2009183024.tif 000004